(57)【要約】【課題】スプールをフリーにして釣糸を繰り出して仕掛けを下ろしたり、釣糸を巻き取るといった魚釣りの基本操作をスムーズ行うことができる魚釣用リールを提供すること。【解決手段】魚釣用リール４は、手を載せる上面６ａを有し、載置面３ａの上に置かれるリール本体５と、前記リール本体の上面の前方側に設けられ、釣糸３５が巻き付けられるスプール３４と、前記リール本体に設けられ、前記釣糸を巻き取る方向に前記スプールを回転させるモータ４４とを備えている。前記リール本体の上面の前方側には、前記モータを駆動し前記スプールを回転させるように手の指先で人為的に操作される第１の操作体２２ａと、前記スプールを自由回転させるように手の指先で人為的に操作される第２の操作体２２ｂとが設けられている。前記第１の操作体は前記第２の操作体の右側および左側の一方に設けられている。【選択図】    図２
2010124789.tif 000002
【特許請求の範囲】
【請求項１】
手を載せる上面を有し、載置面の上に置かれるリール本体と、
前記リール本体に設けられ、釣糸が巻き付けられるスプールと、
前記リール本体に設けられ、前記釣糸を巻き取る方向に前記スプールを回転させるモータと
を具備し、
前記モータを駆動し前記スプールを回転させるように手の指先で人為的に操作される第１の操作体と、前記スプールを自由回転させるように手の指先で人為的に操作される第２の操作体とを前記リール本体の上面の前方側に設けるとともに、前記第１の操作体を前記第２の操作体の右側および左側の一方に設けたことを特徴とする魚釣用リール。
【請求項２】
前記リール本体には、前記第１の操作体により前記モータの駆動／駆動停止を切り換える第１のスイッチと、前記第２の操作体により前記モータと前記スプールとの接続状態を切り換える第２のスイッチとが設けられていることを特徴とする請求項１に記載の魚釣用リール。
【請求項３】
前記スプールは、前記リール本体の上面の前方側の中央に設けられていることを特徴とする請求項１もしくは請求項２に記載の魚釣用リール。
【請求項４】
前記スプールは、前記第１および第２の操作体の間に設けられていることを特徴とする請求項１ないし請求項３のいずれか１に記載の魚釣用リール。
【請求項５】
前記第１および第２の操作体は、前記リール本体の上面の前方側に配設された前方下がりの傾斜面を備えていることを特徴とする請求項１ないし請求項４のいずれか１に記載の魚釣用リール。
【発明の詳細な説明】
【技術分野】
【０００１】
本発明は、モータにより駆動されるスプールを備えた魚釣用リールに関する。
【背景技術】
【０００２】
従来から、魚釣りの多くは釣竿にリールを取り付けて行われている。従って、釣り人は一方の手で釣竿のグリップを握って釣り竿を保持し、魚が掛かったときは他方の手でリールを操作して手動または電動で釣糸を巻き取っている。
【０００３】
近年、結氷した湖の上で行うワカサギの穴釣りやワカサギのボート釣り等にて、常時釣り竿を保持せずにリールに短い釣り竿を取り付け、台の上に載置した状態で釣りを行うことができるリールが提案されている。  
例えば特許文献１には、板状体の上にスプールを設けた載置可能なワカサギ釣り用電動リールが記載されている。しかし、このリールを使用する場合、リールを載置することでウォームギャと歯車との噛み合わせが離れてスプールがフリー（自由回転状態）になり、釣糸を巻き上げるときにはリールを持ち上げてウォームギャと歯車とを噛み合わせて、持ち上げた状態のままでリール上面にあるスイッチを押すとスプールが駆動回転するようになっている。
【特許文献１】特開２０００−４７２６号公報
【発明の開示】
【発明が解決しようとする課題】
【０００４】
したがって、特許文献１に開示されたリールでは、リールを載置した状態で釣糸の巻き上げができず、また、リールを持ち上げてから駆動スイッチを押さなければスプールを回転させて釣糸を巻き取ることができない。このように、特許文献１に開示されたリールでは、スプールをフリーにして釣糸を繰り出して仕掛けを下ろし、釣糸を巻き取る釣りの基本操作がスムーズに行えない。
【０００５】
この発明は、スプールをフリーにして釣糸を繰り出して仕掛けを下ろしたり、釣糸を巻き取るといった魚釣りの基本操作をスムーズ行うことができる魚釣用リールを提供することを目的とする。
【課題を解決するための手段】
【０００６】
上記目的を達成するため、本発明に係る魚釣用リールは、手を載せる上面を有し、載置面の上に置かれるリール本体と、前記リール本体に設けられ、釣糸が巻き付けられるスプールと、前記リール本体に設けられ、前記釣糸を巻き取る方向に前記スプールを回転させるモータとを具備し、前記モータを駆動し前記スプールを回転させるように手の指先で人為的に操作される第１の操作体と、前記スプールを自由回転させるように手の指先で人為的に操作される第２の操作体とを前記リール本体の上面の前方側に設けるとともに、前記第１の操作体を前記第２の操作体の右側および左側の一方に設けたことを特徴とする。  
前記リール本体には、前記第１の操作体により前記モータの駆動／駆動停止を切り換える第１のスイッチと、前記第２の操作体により前記モータと前記スプールとの接続状態を切り換える第２のスイッチとが設けられていることが好適である。  
前記スプールは、前記リール本体の上面の前方側の中央に設けられていることが好適である。  
前記スプールは、前記第１および第２の操作体の間に設けられていることが好適である。  
前記第１および第２の操作体は、前記リール本体の上面の前方側に配設された前方下がりの傾斜面を備えていることが好適である。
【発明の効果】
【０００７】
本発明によれば、モータを駆動しスプールを回転させるようにしたり、スプールを自由回転させるようにしたりすることを、リール本体の上面の前方側に設けた第１の操作体や第２の操作体を手の指先で適宜に操作することでスムーズに行うことができる。このように、魚釣用リールの釣糸の繰り出しや巻き取りといった操作を、第１の操作体と第２の操作体とを手の指先で適宜に操作するだけで行うことができるので素早い操作が可能となり、魚釣用リールの操作性を向上させることができる。
【０００８】
第１のスイッチや第２のスイッチをリール本体に設けることによって、第１の操作体および第２の操作体の操作による作用をタイムラグを極力少なくした状態で、簡単に得ることができる。  
スプールがリール本体の上面の前方側の中央に設けられていることによって、手の指でスプールに容易に触れることができるので、サミング操作等を容易に行うことができる。  
スプールが第１および第２の操作体の間に設けられていることによって、例えば人差し指や中指で第１および第２の操作体を操作しつつ、人差し指や中指でスプールの回転速度等を容易に制御することができる。  
第１および第２の操作体がリール本体の上面の前方側に配設された前方下がりの傾斜面を備えていることによって、リール本体の上面に載せた手に負荷をかけることなく、第１および第２の操作体を操作することができる。また、前方下がりの傾斜面を備えていることによって、載置面に魚釣用リールを押圧した状態で載置することができるので、魚釣り中に不用意に魚釣用リールが載置面から動くことを防止できる。
【発明を実施するための最良の形態】
【０００９】
以下、本発明の第１の実施の形態を、図１ないし図１３に基づいて説明する。
【００１０】
図１に示すように、例えば氷結した湖面１に穴２を開けてワカサギ等を釣る、いわゆる穴釣りでは、氷結した湖面１の上に釣用の台３を据え付けている。台３は、載置面としての平坦な上面３ａを有している。釣人は、台３の上面３ａの上に魚釣用リール４を置くとともに、この魚釣用リール４を右手Ｈ又は左手Ｈで掴んで操作することによりワカサギを釣り上げる。
【００１１】
図１ないし図３に示すように、魚釣用リール４は、リール本体５を備えている。リール本体５は、その外郭を構成する筐体６を有している。筐体６は、例えばＡＢＳ樹脂、ポリカーボーネートのような合成樹脂材料により形成されている。
【００１２】
筐体６は、長軸Ｌと短軸Ｓとを有する偏平な箱形であり、釣人が右手Ｈ又は左手Ｈで掴むことができる程度の大きさを有している。筐体６の長軸Ｌは、筐体６の左右方向中央を通り前後方向に延びて、リール本体５の左側および右側を仕切っている。筐体６の短軸Ｓは、筐体６の前後方向中央を通り幅方向（左右方向）に延びて、リール本体５の前方側および後方側を仕切っている。  
なお、筐体６の前後方向は、後述する上面６ａに手を置いたときに前方側が指先側となり、後方側が手首側となる。また、筐体６の左右方向は、右手Ｈを上面６ａに手を置いたときに親指Ｈ１側が左側となり、小指Ｈ５側が右側となる。同様に、筐体６の左右方向は、例えば左手Ｈを上面６ａに手を置いたときに親指Ｈ１側が右側となり、小指Ｈ５側が左側となる。
【００１３】
図２に示すように、筐体６は、ロアケース７とトップカバー８とで構成されている。ロアケース７は、底壁９と、底壁９の左右の側縁から起立する側壁１０ａ，１０ｂと、底壁９の前端から立ち上がる前壁１１と、底壁９の後端から立ち上がる後壁１２とを有している。トップカバー８は、底壁９と向かい合うようにロアケース７に被せられている。トップカバー８の外周縁は、側壁１０ａ，１０ｂの上縁、前壁１１の上縁および後壁１２の上縁に連続している。
【００１４】
トップカバー８は、ネジ止めあるいは嵌め込み等の手段によりロアケース７に固定されて、ロアケース７との間にモータ収容室１３を規定している。さらに、ロアケース７の底壁９にはバッテリ収容部１４が形成されている。バッテリ収容部１４は、モータ収容室１３内に張り出すとともに、ロアケース７の下方に開口する凹みで構成されている。バッテリ収容部１４の開口端は、取り外し可能なバッテリカバー１５で閉じられている。
【００１５】
筐体６は、１対の脚１６ａ，１６ｂを有している。脚１６ａ，１６ｂは、例えば筐体６よりも柔らかいゴム状弾性体で形成されている。脚１６ａ，１６ｂは、ロアケース７の底壁９に固定されているとともに、リール本体５の前後方向に互いに離れている。脚１６ａ，１６ｂは、リール本体５を台３の上に置いたときに、台３の上面３ａに接触する接地部として機能する。
【００１６】
図２および図３に示すように、トップカバー８は、筐体６の上面６ａを構成している。上面６ａは、釣人が魚釣用リール４を操作する際に右手Ｈ又は左手Ｈを載せる部分であって、リール本体５の上方に露出している。上面６ａは、第１の領域１７および第２の領域１８を有している。
【００１７】
第１の領域１７は、釣人がリール本体５を右手Ｈ又は左手Ｈで掴んだときに、手の平を受ける部分であり、筐体６の前後方向に沿う中間部１９よりも後方に位置している。第２の領域１８は、釣人がリール本体５を右手Ｈ又は左手Ｈで掴んだときに、人差し指Ｈ２および中指Ｈ３を受ける部分であり、筐体６の中間部１９よりも前方に位置している。
【００１８】
第１の領域１７の前後方向は、筐体６の後端から筐体６の中間部１９の方向（前方）に進むに従って上向きに傾斜するとともに、筐体６の上方に凸となるように筐体６の前後方向に沿って滑らかな円弧を描いて湾曲する曲面となっている。さらに、第１の領域１７の左右方向は、筐体６の上方に凸となるように筐体６の左右方向に沿って滑らかな円弧を描いて湾曲する曲面となっている。
【００１９】
第２の領域１８の前後方向は、筐体６の中間部１９から筐体６の前方に進むに従って下向きに傾斜するとともに、筐体６の上方に凸となるように筐体６の前後方向に沿って滑らかな円弧を描いて湾曲する曲面となっている。
【００２０】
このことから、第１の領域１７と第２の領域１８との間の境界に位置する中間部１９は、上面６ａの中で筐体６の上方に最も張り出す頂部２０（図１および図３参照）を含んでいる。頂部２０は、筐体６の中間部１９において筐体６の左右方向に沿う中央部に位置している。言い換えると、筐体６の上面６ａは、頂部２０に向けて滑らかな円弧を描いて盛り上がっている。よって、本実施の形態の筐体６は、例えばコンピュータ用の代表的なポインティングデバイスであるマウスのような外観形状を有している。
【００２１】
トップカバー８は、円形の開口部２１を有している。開口部２１は、第２の領域１８の前半部分の中央部に位置している。第２の領域１８のうち開口部２１の左側に位置する部分は、釣人が右手Ｈ又は左手Ｈの指先で人為的に操作するスイッチ操作子の一例である第１の指置部（第１の操作体）２２ａとなっている。同様に、第２の領域１８のうち開口部２１の右側に位置する部分は、釣人が右手Ｈ又は左手Ｈの指先で人為的に操作するスイッチ操作子の一例である第２の指置部（第２の操作体）２２ｂとなっている。第１および第２の指置部２２ａ，２２ｂは、開口部２１を間に挟んで筐体６の左右方向に振り分けられている。
【００２２】
第１の指置部２２ａは、リール本体５の上面６ａに右手Ｈが載せられた場合に、右手Ｈの人差し指Ｈ２が載置される。第２の指置部２２ｂは、リール本体５の上面６ａに右手Ｈが載せられた場合に、右手Ｈの中指Ｈ３が載置される。さらに、第１の指置部２２ａは、リール本体５の上面６ａに左手Ｈが載せられた場合に、左手Ｈの中指Ｈ３が載置される。第２の指置部２２ｂは、リール本体５の上面６ａに左手Ｈが載せられた場合に、左手Ｈの人差し指Ｈ２が載置される。
【００２３】
図５に示すように、左側の第１の指置部２２ａの前端は、下向きに湾曲されてロアケース７の前壁１１の上端と向かい合っている。第１の指置部２２ａの前端と前壁１１の上端との間には隙間２３ａが形成されている。図７に示すように、右側の第２の指置部２２ｂの前端は、下向きに湾曲されてロアケース７の前壁１１の上端と向かい合っている。第２の指置部２２ｂの前端と前壁１１の上端との間には隙間２３ｂが形成されている。
【００２４】
したがって、例えば右手Ｈの人差し指Ｈ２で第１の指置部２２ａを下向きに押圧すると、図４および図５に示すように、トップカバー８が形成される素材が有する可撓性（弾性力）により、第１の指置部２２ａが隙間２３ａの分だけ沈み込むように弾性変形する。第１の指置部２２ａの押圧を解除すると、第１の指置部２２ａが元の位置に弾性的に復帰する。この結果、第１の指置部２２ａの前端と前壁１１の上端との間に再び隙間２３ａが生じる。同様に、例えば右手Ｈの中指Ｈ３で第２の指置部２２ｂを下向きに押圧すると、図６および図７に示すように、第２の指置部２２ｂが隙間２３ｂの分だけ沈み込むように弾性変形する。第２の指置部２２ｂの押圧を解除すると、第２の指置部２２ｂが元の位置に弾性的に復帰する。この結果、第２の指置部２２ｂの前端と前壁１１の上端との間に再び隙間２３ｂが生じる。
【００２５】
また、トップカバー８の前側と後側は、上面６ａがそれぞれ前方、後方を向くまで前壁１１、後壁１２に向かって下方に湾曲しているため、第１の指置部（第１の操作体）２２ａと第２の指置部（第２の操作体）２２ｂは、上面６ａから上面６ａが前端にて前方を向くように変移した部分に及んで形成されている。
【００２６】
図４および図６に示すように、筐体６の側壁１０ａ，１０ｂは、それぞれ側面２４ａ，２４ｂを有している。側面２４ａ，２４ｂは、筐体６の左側方および右側方に露出している。筐体６の側面２４ａ，２４ｂの下部にそれぞれ凹部２５ａ，２５ｂが形成されている。凹部２５ａ，２５ｂは、筐体６の前後方向に延びるとともに、その下端が底壁９に連続している。
【００２７】
筐体６の左側の凹部２５ａは、例えば筐体６を右手Ｈで掴んだときに、右手Ｈの親指Ｈ１を差し入れるためのものであり、側面２４ａよりも筐体６の内側に向けて凹んでいる。筐体６の右側の凹部２５ｂは、例えば筐体６を右手Ｈで掴んだときに、右手Ｈの薬指Ｈ４および小指Ｈ５を差し入れるためのものであり、側面２４ｂよりも筐体６の内側に向けて凹んでいる。
【００２８】
図２および図３に示すように、筐体６のロアケース７の前端部に合成樹脂製の支持台２６がネジ止め等により固定されている。支持台２６は、竿受け部２７とスプール受け部２８とを備えている。
【００２９】
竿受け部２７は、筐体６の前端の左右方向に沿う中央部に位置している。竿受け部２７は、筐体６の前方に向けて開口する支持孔２９を有するとともに、釣糸ガイド３０を支持している。釣糸ガイド３０は、竿受け部２７の上方に突出するように垂直に起立する待機位置（図１１参照）と、この待機位置から筐体６の後方に倒れ込む動作位置（図１２参照）との間で回動可能であり、通常は待機位置に保持されている。
【００３０】
支持台２６のスプール受け部２８は、トップカバー８の開口部２１の下方で水平に配置されている。スプール受け部２８の外周縁部には円筒状の起立壁３１が形成されている。起立壁３１の上端は、開口部２１を取り囲むようにトップカバー８の下面に突き当たって、トップカバー８とスプール受け部２８との間を結んでいる。
【００３１】
図２に示すように、ロアケース７の底壁９にはスプール軸３３が支持されている。スプール軸３３は、底壁９から垂直に起立するとともに、スプール受け部２８を貫通してスプール受け部２８の上に突出している。
【００３２】
スプール軸３３の上部には合成樹脂材又は金属材製のスプール３４が回転可能に支持されている。スプール３４は、リール本体５の前部において、リール本体５の上面６ａの前方側の左右方向の中央部に位置している。
【００３３】
スプール３４は、釣糸３５が巻き付けられる釣糸巻回胴部３６と、１対のフランジ３７ａ，３７ｂとを備えており、垂直なスプール軸３３を中心として回転する。フランジ３７ａ，３７ｂは、釣糸巻回胴部３６と同軸の円盤状をなすとともに、釣糸巻回胴部３６を間に挟んで上下方向に向かい合っている。一方のフランジ３７ａは、他のフランジ３７ｂよりも大径であり、この大径のフランジ３７ａがスプール受け部２８の上面に載置されている。すなわち、大径のフランジ３７ａが下側となるようにスプール３４が配置される。
【００３４】
スプール軸３３は、釣糸巻回胴部３６を同軸状に貫通して他方のフランジ３７ｂの上に突出している。スプール軸３３の上端には袋ナット３８がねじ込まれている。袋ナット３８は、スプール受け部２８との間でスプール３４を挟み込んでおり、これによりスプール３４がリール本体５の前部に回転自在に支持されている。
【００３５】
スプール３４は、トップカバー８の開口部２１の内側に位置している。スプール３４の上端に位置する他方のフランジ３７ｂは、開口部２１を通じて筐体６の第２の領域１８に露出しているとともに、筐体６の上面６ａから僅かに突出している。
【００３６】
図３に示すように、第２の領域１８の第１および第２の指置部２２ａ，２２ｂは、押圧操作する操作体で、スプール３４の左側および右側に振り分けられて配置されている。そのため、第１および第２の指置部２２ａ，２２ｂに人差し指Ｈ２および中指Ｈ３を載せたときに、スプール３４は、人差し指Ｈ２と中指Ｈ３との間に位置される。
【００３７】
さらに、第１および第２の指置部（第１および第２の操作体）２２ａ，２２ｂは、リール本体５のスプール３４より前端側に及んでリール本体５の上面６ａの左側および右側に配置されている。
【００３８】
さらに、図４から図７に示すように、第１および第２の指置部２２ａ，２２ｂは、魚釣用リール４を側方から見たときに、リール本体５の中間部１９から前方側（第２の領域１８側）に進むに従って下向きに傾斜する傾斜面を形成する。このため、スプール３４のフランジ３７ｂは、第１および第２の指置部２２ａ，２２ｂの上方に張り出している。
【００３９】
図１および図２に示すように、竿受け部２７の支持孔２９には釣竿４０が嵌め込まれている。釣竿４０は、例えば全長が１５ｃｍ程度の短いものでよく、リール本体５の前端から前方に向けて水平に突き出ている。  
釣竿４０の外周面には複数の釣糸ガイド４１が取り付けられている。釣糸ガイド４１は、釣竿４０の長手方向に間隔を存して一列に並んでいる。スプール３４から繰り出された釣糸３５は、リール本体５の釣糸ガイド３０から釣竿４０の釣糸ガイド４１を経由して釣竿４０の先端に導かれた後、釣竿４０の先端から湖面１に開けた穴２を通じて水中に沈むようになっている。
【００４０】
なお、釣糸３５の先端部には、釣針等を有する仕掛けが止着され、重りあるいは撚り戻しのようなストッパ４２（図１１参照）が取り付けられている。ストッパ４２は、釣竿４０の釣糸ガイド４１を通過可能であるが、魚釣用リール４の釣糸ガイド３０は通過できないような大きさを有している。
【００４１】
本実施の形態の魚釣用リール４は、好ましい例としてリール本体５に釣竿４０を装着しているが、この釣竿４０は必須の構成要素ではない。例えばリール本体５から釣竿を省略しても良いし、釣竿４０をリール本体以外の場所、例えば台３に取り付けても良い。
【００４２】
図２に示すように、筐体６のモータ収容室１３にはモータ４４が収容されている。モータ４４は、ステータおよびロータを収容するモータハウジング４５と、モータハウジング４５の前端から突出する金属製の出力軸４６とを有している。モータ４４は、出力軸４６を筐体６の前後方向に沿わせた横置きの姿勢でスプール３４の後方に設置されている。
【００４３】
モータ４４の出力軸４６は、スプール軸３３の直後に位置するとともに、このスプール軸３３と直交するような位置関係を保っている。出力軸４６の前端部は、スプール３４の一方のフランジ３７ａの下方に位置している。
【００４４】
出力軸４６の外周には円筒状のトルク伝達部材４７が取り付けられている。トルク伝達部材４７は、例えばスプール３４よりも柔らかい合成樹脂材又はゴム状弾性体により形成されている。図２に示す状態では、トルク伝達部材４７の外周面は、スプール３４のフランジ３７ａの下面に接している。
【００４５】
図２に示すように、モータ４４のモータハウジング４５は、ピボット軸４８を有している。ピボット軸４８は、モータハウジング４５の後端に位置するとともに、出力軸４６と直交するように筐体６の左右方向に沿って水平に延びている。ピボット軸４８は、ロアケース７に固定された軸受部４９に支持されている。
【００４６】
モータ４４は、ピボット軸４８を支点として、第１の位置（図２参照）と第２の位置（図１１参照）との間で回動可能となっている。第１の位置では、図２に示すようにモータ４４の出力軸４６が筐体６の前後方向に沿って水平に延びており、トルク伝達部材４７の外周面がスプール３４のフランジ３７ａの下面に当接している。このように当接していることにより、フランジ３７ａとトルク伝達部材４７との当接部分に摩擦抵抗が付与され、モータ４４の出力軸４６とスプール３４との間が機械的に接続される。この結果、摩擦抵抗によりスプール３４の自由な回転が阻止される。さらに、モータ４４が駆動されると、出力軸４６のトルクがトルク伝達部材４７を介してスプール３４に伝わり、スプール３４が釣糸３５を巻き取る方向に回転する。
【００４７】
一方、第２の位置では、図１１に示すようにモータ４４の出力軸４６が前下がりとなって、トルク伝達部材４７の外周面がスプール３４のフランジ３７ａの下面から離れている。これにより、モータ４４の出力軸４６とスプール３４との機械的な接続が解除され、トルク伝達部材４７とスプール３４との間に摩擦抵抗が付与されることはない。よって、スプール３４は、釣糸３５を巻き取る方向および繰り出す方向の自由な回転が許容されるフリーな状態に移行する。
【００４８】
図２および図１１に示すように、モータ４４は、引っ張りコイルスプリング５０を介して常に第１の位置に向けて弾性的に付勢されている。したがって、モータ４４が第１の位置にある限り、トルク伝達部材４７の外周面がスプール３４のフランジ３７ａの下面に弾性的に押し付けられている。
【００４９】
筐体６のバッテリ収容部１４にはモータ４４の駆動用電源となる例えば２本の乾電池５２ａ，５２ｂが収容されている。図１３に示すように、乾電池５２ａ，５２ｂの正極にはそれぞれ正側電源ライン５３ａ，５３ｂが接続されている。正側電源ライン５３ａ，５３ｂは、正側共通電源ライン５４を介してモータ４４の正側端子に接続されている。  
乾電池５２ａ，５２ｂの負極にそれぞれ負側電源ライン５５ａ，５５ｂが接続されている。負側電源ライン５５ａ，５５ｂは、負側共通電源ライン５６を介してモータ４４の負極端子に接続されている。そのため、各電源ライン５３ａ，５３ｂ，５４，５５ａ，５５ｂ，５６は、モータ４４を乾電池５２ａ，５２ｂに並列に接続する一つの電源回路５７を構成している。
【００５０】
正側電源ライン５３ａ，５３ｂと正側共通電源ライン５４との間には常開形の連続巻きスイッチ５８（図８から図１０参照）が接続されている。一方の正側電源ライン５３ａと正側共通電源ライン５４との間には常開形の一時巻きスイッチ（第１のスイッチ）５９ａが接続されている。
【００５１】
図８から図１０に示すように、連続巻きスイッチ５８は、筐体６の内部に収容されている。図４から図６に示すように、一時巻きスイッチ５９ａは、筐体６の第１の指置部２２ａの下方に配置されて第１の指置部２２ａによって開閉操作される。
【００５２】
図３、図４、図６および図７に示すように、第２の指置部２２ｂの下面には押圧体（第２のスイッチ）５９ｂが一体的に形成され、又は別体で形成されて固定されている。押圧体５９ｂは、図４、図６および図７に示すように、トルク伝達部材４７の上側に配置されている。ここで、上述したように、第２の指置部２２ｂは可撓性を有する素材で形成されているので、例えば右手Ｈの中指Ｈ３で第２の指置部２２ｂを下向きに押圧すると、第２の指置部２２ｂが隙間２３ｂの分だけ沈み込むように弾性変形する。このため、第２の指置部２２ｂの押圧体５９ｂでトルク伝達部材４７とともにモータ４４の出力軸４６を下方に押圧する。そうすると、モータ４４の出力軸４６とスプール３４との機械的な接続が解除される。すなわち、押圧体５９ｂは、モータ４４の出力軸４６とスプール３４とを機械的に接続する状態と、これらの接続を解除する状態とに切り換えるスイッチの役割を果たす。
【００５３】
したがって、第１の指置部２２ａで一時巻きスイッチ５９ａを操作でき、第２の指置部２２ｂで押圧体５９ｂを操作することができる。
【００５４】
正側共通電源ライン５４には常閉形の船べり停止スイッチ６０が配置されている。船べり停止スイッチ６０は、筐体６の前端に位置する釣糸ガイド３０と対向している。船べり停止スイッチ６０は、釣糸ガイド３０が待機位置から動作位置に回動されたときに、釣糸ガイド３０によって開方向に操作される。
【００５５】
負側共通電源ライン５６には常開形のメインスイッチ６１が配置されている。メインスイッチ６１は、筐体６の底壁９の下方に露出されて釣人が手の指先で操作し得るようになっている。そのため、本実施の形態では、メインスイッチ６１を閉じた状態で連続巻きスイッチ５８又は一時巻きスイッチ５９ａを閉じると、乾電池５２ａ，５２ｂからモータ４４に電流が流れ、モータ４４が回転する。
【００５６】
モータ４４のトルクは、出力軸４６からトルク伝達部材４７に伝わる。トルク伝達部材４７は、引っ張りコイルスプリング５０の付勢力によりスプール３４のフランジ３７ａの下面に押し付けられているので、トルク伝達部材４７とフランジ３７ａとの間の接触部分に生じる摩擦力によりモータ４４のトルクがスプール３４に伝わる。この結果、連続巻きスイッチ５８又は一時巻きスイッチ５９ａを閉じた場合、スプール３４はモータ４４のトルクを受けて釣糸３５を巻き取る方向に回転する。
【００５７】
図２から図４、図６から図１２に示すように、筐体６の中間部１９には例えば合成樹脂材製の切り換えレバー６３が配置されている。切り換えレバー６３は、釣人が右手Ｈ又は左手Ｈの指先で人為的に操作するスイッチ操作子の一例である。切り換えレバー６３は、軸部６３ａ、指掛け用の舌片部６４、およびカム部６５を備えている。
【００５８】
図２に示すように、軸部６３ａは、筐体６の前後方向に水平に延びているとともに、スプール受け部２８の後端に形成されたブラケット６６と起立壁３１との間に回動可能に支持されている。軸部６３ａは、モータ４４の出力軸４６およびトルク伝達部材４７の真上に位置している。
【００５９】
図８から図１０に示すように、舌片部６４は、筐体６の中間部１９とスプール３４との間に位置するとともに、トップカバー８に開けたスリット６７を貫通して筐体６の上面６ａの上に突出している。図８に示すように、舌片部６４の指を載せる上端は、スプール３４の上端に位置するフランジ３７ｂよりも高さｈだけ上方に位置している。さらに、図３に示すように、舌片部６４は、釣人が筐体６の上面６ａに右手Ｈを載せたときに、人差し指Ｈ２の付け根と中指Ｈ３の付け根とで規定されるＶ形の隙間６８に位置するようになっている。
【００６０】
本実施の形態では、筐体６の上面６ａのうち切り換えレバー６３が位置する部分は、スプール３４の上端に位置するフランジ３７ｂと同じ高さ位置、又はフランジ３７ｂよりも僅かに上方に位置している。
【００６１】
図８から図１０に示すように、カム部６５は、外周縁部７０、第１のカムノーズ７１および第２のカムノーズ７２を備えている。外周縁部７０は、舌片部６４に対して軸部６３ａを間に挟んだ反対側に位置するとともに、軸部６３ａを中心とする円弧を描くように湾曲している。外周縁部７０は、トルク伝達部材４７の外周面との間に僅かな隙間を存してトルク伝達部材４７と向かい合っている。
【００６２】
第１のカムノーズ７１は、外周縁部７０の一端に位置している。第１のカムノーズ７１は、連続巻きスイッチ５８と向かい合うように、外周縁部の一端から軸部６３ａの径方向外側に向けて突出している。
【００６３】
第２のカムノーズ７２は、外周縁部７０の他端に位置している。第２のカムノーズ７２は、軸部６３ａを中心とする円弧を描くように湾曲しているとともに、外周縁部７０よりも軸部６３ａの径方向外側に僅かに張り出している。外周縁部７０と第２のカムノーズ７２との境界部分には、トルク伝達部材４７の外周面に沿うように湾曲する段差７３が形成されている。
【００６４】
切り換えレバー６３は、軸部６３ａを支点として第１ないし第３の切り換え位置Ｐ１，Ｐ２，Ｐ３のいずれかの位置に選択的に回動操作される。図８は、切り換えレバー６３が第１の切り換え位置Ｐ１に回動された状態を開示している。第１の切り換え位置Ｐ１では、切り換えレバー６３の舌片部６４が垂直に起立するとともに、カム部６５の段差７３がトルク伝達部材４７の外周面に突き当たっている。
【００６５】
このとき、段差７３は、トルク伝達部材４７に対し単に上方から接しているだけであり、トルク伝達部材４７は、引っ張りコイルスプリング５０の付勢力を受けてスプール３４のフランジ３７ａに弾性的に押し付けられている。そのため、スプール３４は、フランジ３７ａとトルク伝達部材４７との間の接触部分に生じる摩擦抵抗により自由な回転が阻止されている。
【００６６】
さらに、第１の切り換え位置Ｐ１では、第１のカムノーズ７１が連続巻きスイッチ５８から離れている。よって、連続巻きスイッチ５８は開状態を維持している。
【００６７】
図９は、切り換えレバー６３が第２の切り換え位置Ｐ２に回動された状態を開示している。第２の切り換え位置Ｐ２では、切り換えレバー６３の舌片部６４が筐体６の左側に倒されて、トルク伝達部材４７の外周面とカム部６５の外周縁部７０との接触位置が相対的に変化している。このとき、トルク伝達部材４７は、引っ張りコイルスプリング５０の付勢力を受けてスプール３４のフランジ３７ａに弾性的に押し付けられている。
【００６８】
さらに、第２の切り換え位置Ｐ２では、切り換えレバー６３の第１のカムノーズ７１が連続巻きスイッチ５８に接触し、第１のカムノーズ７１によって連続巻きスイッチ５８が閉じられる。したがって、メインスイッチ６１が閉じているときに、切り換えレバー６３を指先で第２の切り換え位置Ｐ２に保持しておけば、乾電池５２ａ，５２ｂからモータ４４に電流が流れて、スプール３４が釣糸３５を巻き取る方向に連続して回転される。
【００６９】
図１０は、切り換えレバー６３が第３の切り換え位置Ｐ３に移動された状態を開示している。第３の切り換え位置Ｐ３では、切り換えレバー６３の舌片部６４が筐体６の右側に倒されて、第１のカムノーズ７１が連続巻きスイッチ５８から上方に離脱している。そのため、連続巻きスイッチ５８が閉状態から開状態に移行し、モータ４４に対する電流の供給が断たれる。
【００７０】
それとともに、切り換えレバー６３の回動に伴い、第２のカムノーズ７２がトルク伝達部材４７の外周面に乗り上げ、トルク伝達部材４７を強制的に押し下げる。これにより、モータ４４がピボット軸４８を支点として第１の位置から第２の位置に向けて回動し、トルク伝達部材４７がスプール３４のフランジ３７ａから離脱する。よって、フランジ３７ａに作用する摩擦力が失われるので、スプール３４の自由な回転が許容され、切り換えレバー６３が第３の切り換え位置Ｐ３にある間は連続的にスプール３４からの釣糸３５の繰り出しが可能となる。
【００７１】
切り換えレバー６３が第３の切り換え位置Ｐ３にあるときに、例えば右手Ｈの人差し指Ｈ２で第１の指置部２２ａを押し下げて一時巻きスイッチ５９ａを閉じると、乾電池５２ａ，５２ｂからモータ４４に電流が流れて、トルク伝達部材４７が図９の矢印方向に回転する。
【００７２】
この回転により、トルク伝達部材４７と第２のカムノーズ７２との間の接触部分に摩擦力生じる。この摩擦力により、切り換えレバー６３が軸部６３ａを中心として図１０の時計周り方向に回転する。よって、切り換えレバー６３が第３の切り換え位置Ｐ３から第１の切り換え位置Ｐ１に自動的に復帰し、トルク伝達部材４７の外周面がスプール３４のフランジ３７ａの下面に再び接触する。  
この結果、一時巻きスイッチ５９ａが閉じている限り、スプール３４が釣糸３５を巻き取る方向に回転する。
【００７３】
魚釣用リール４を用いて例えばワカサギを釣るに当たっては、リール本体５に釣竿４０を装着し、かつ釣糸３５に仕掛けをセットした後、メインスイッチ６１を閉じる。次に、魚釣用リール４を釣場に設置された台３の上に置き、筐体６の上面６ａに例えば右手Ｈを添えるように宛がう。
【００７４】
具体的には、上面６ａの第１の領域１７に右手Ｈの手の平を当てるとともに、人差し指Ｈ２および中指Ｈ３をそれぞれ第１および第２の指置部２２ａ，２２ｂの上に載せる。さらに、親指Ｈ１を筐体６の左側の凹部２５ａに差し入れるとともに、薬指Ｈ４および小指Ｈ５を筐体６の右側の凹部２５ｂに差し入れ、右手Ｈで筐体６を全体的に包み込むように把持する。
【００７５】
次に、例えば中指Ｈ３で第２の指置部２２ｂを押圧する。このため、第２の指置部２２ｂの押圧体５９ｂで引っ張りコイルスプリング５０の付勢力に抗してトルク伝達部材４７を押圧する。あるいは、例えば人差し指Ｈ２で切り換えレバー６３を第１の切り換え位置Ｐ１（図８参照）から第３の切り換え位置Ｐ３（図１０参照）に回動させる。この回動により、カム部６５の第２のカムノーズ７２によってトルク伝達部材４７が押し下げられる。したがって、第２の指置部２２ｂの押圧、又は、切り換えレバー６３の回動によって、トルク伝達部材４７がスプール３４のフランジ３７ａから離脱する（図１１参照）。  
この結果、スプール３４がフリーとなり、スプール３４に巻き付けられた釣糸３５が仕掛けにより引っ張られてスプール３４から繰り出されるとともに、仕掛けが湖面１に開けた穴２から水中に沈降される。
【００７６】
なお、切り換えレバー６３を第３の切り換え位置Ｐ３にすると、切り換えレバー６３から手を離してもスプール３４を連続して自由回転させることができるため、他の作業が可能となったり、また、仕掛けを早く沈下させることができる。また、第２の指置部（第２の操作体）２２ｂは押圧操作している時だけスプール３４を自由回転状態にすることができるため、こまめにスプール３４の回転を調節でき、仕掛けをゆっくり沈下させたり、希望する水深まで正確に沈下させることが容易にできる。
【００７７】
このとき、人差し指Ｈ２を第１の指置部２２ａに配置し、中指Ｈ３を第２の指置部２２ｂに配置し、スプール３４が第１および第２の指置部２２ａ，２２ｂの間に配置されている。このため、人差し指Ｈ２および／または中指Ｈ３でスプール３４に触れることによって、釣糸３５の繰り出し速度を容易に変更することができる。また、スプール３４がリール本体５の上面６ａの前方側中央に設けられていることによって、スプール３４に容易に触れることができる。
【００７８】
仕掛けが狙った水深に達したところで、第２の指置部２２ｂの押圧を解除する。あるいは、例えば人差し指Ｈ２で切り換えレバー６３を第３の切り換え位置Ｐ３（図１０参照）から第１の切り換え位置Ｐ１（図８参照）に戻す。トルク伝達部材４７は引っ張りコイルスプリング５０によりスプール３４のフランジ３７ａに押し付けられるように付勢されているので、トルク伝達部材４７がスプール３４のフランジ３７ａに押し付けられる。このため、スプール３４の自由な回転が制限される（図２参照）。この結果、スプール３４からの釣糸３５の繰り出しが停止されるので、このままの状態でアタリを待つ。
【００７９】
このとき、図６および図７に示すように、人差し指Ｈ２でトップカバー８の第１の指置部２２ａを押し下げると、一時巻きスイッチ５９ａが閉じる。そのため、第１の指置部２２ａを押し下げている限り、スプール３４が釣糸３５を巻き取る方向に回転するので、釣糸３５の弛みを除去したり、沈下し過ぎた仕掛けを徐々に上げて、タナ（水深）に仕掛けの位置を合わせることができる。
【００８０】
アタリを待つとき、釣人は台３の上に置かれた魚釣用リール４のリール本体５を右手Ｈで握ったまま、例えばコンピュータ用のマウスを操作するようにリール本体５を左右に動かしたり、あるいはリール本体５を上下に振るように動かしてリール本体５で台３の上面３ａを叩き、水中の仕掛けを動かすことによりワカサギを誘う。
【００８１】
アタリが来たら、そのままの状態でワカサギが仕掛けに掛かるのを待つか、または、右手Ｈで把持したリール本体５を持ち上げて合わせる。仕掛けにワカサギが掛かった段階で、人差し指Ｈ２でトップカバー８の第１の指置部２２ａを押し続けて、一時巻きスイッチ５９ａを閉じる。あるいは、例えば人差し指Ｈ２で切り換えレバー６３を第１の切り換え位置Ｐ１（図８参照）から第２の切り換え位置Ｐ２（図９参照）に回動させ、切り換えレバー６３の第１のカムノーズ７１で連続巻きスイッチ５８を閉じる。この結果、スプール３４がモータ４４を介して釣糸３５を巻き取る方向（図の矢印方向）に回転（正転）し、水中の仕掛けが次第に引き上げられる。
【００８２】
釣糸３５をスプール３４に巻き取っているときに、釣糸３５の先端側に位置する重りや撚り戻しのようなストッパ４２が魚釣用リール４の直前に達すると、図１２に示すように、ストッパ４２が待機位置に保持された釣糸ガイド３０を通過できずに、この釣糸ガイド３０に引っ掛かる。このため、釣糸ガイド３０が釣糸３５の巻き取り動作に追従して待機位置から動作位置に向けて倒れ込む。釣糸ガイド３０が動作位置に達すると、この釣糸ガイド３０によって船べり停止スイッチ６０が開かれ、モータ４４に対する電流の供給が断たれる。この結果、釣糸３５の巻き取りが停止され、仕掛けはスプール３４に巻き込まれることなく魚釣用リール４の直前で停止する。
【００８３】
仕掛けがスプール３４の直前で停止したり、あるいは釣人が仕掛けの引き上げを確認したら、人差し指Ｈ２によるトップカバー８の第１の指置部２２ａの押圧を解除して、一時巻きスイッチ５９ａを開く。このとき、トルク伝達部材４７とスプール３４のフランジ３７ａとの間に摩擦力が働いているので、スプール３４の自由な回転を制限（規制）する。あるいは、例えば人差し指Ｈ２で切り換えレバー６３を第２の切り換え位置Ｐ２（図９参照）から第１の切り換え位置Ｐ１（図８参照）に回動させ、スプール３４の自由な回転を制限する。そして、最後に仕掛けを手で摘み上げて、仕掛けに掛かったワカサギを取り外す。
【００８４】
このような第１の実施の形態によれば、第１および第２の指置部２２ａ，２２ｂだけを操作（押圧／押圧解除）することにより、スプール３４を釣糸巻き取り状態や自由回転状態（フリー状態）、さらにはスプール３４の回転規制状態（停止状態）に素早く切り換えることができる。第１および第２の指置部２２ａ，２２ｂだけを操作すれば良いので、特に、釣糸３５を僅かに巻き取りたい場合や、釣糸３５を僅かに放出したい場合などの操作を容易に行うことができ、スプール３４のサミング操作も素早く行うことができる。この結果、魚釣用リール４の操作性を大きく向上させることができる。
【００８５】
また、このような操作を切り換えレバー６３を回動させることでも実行できる。したがって、このような第１の実施の形態によれば、モータ４４を介して釣糸３５を巻き取る方向にスプール３４を回転させる操作およびスプール３４の自由な回転を許容したり、スプール３４の自由な回転を阻止する操作を、第１および第２の指置部２２ａ，２２ｂ、又は、１つの切り換えレバー６３を回動させることで実行できる。
【００８６】
この際、第２の指置部２２ｂの適宜の操作（押圧／押圧解除）により、スプール３４から釣糸３５を繰り出している最中に、仕掛けの沈降速度を遅くしたり、スプール３４の空回りを防止することができる。あるいは、切り換えレバー６３の舌片部６４は、リール本体５の上面６ａにおいてスプール３４の直後に位置するとともに、スプール３４の上端に位置するフランジ３７ｂよりも上方に飛び出ている。このため、切り換えレバー６３を右手Ｈの指先で第３の切り換え位置Ｐ３に回動させて、スプール３４から釣糸３５を繰り出している最中に、仕掛けの沈降速度を遅くしたり、スプール３４の空回りを防止する必要が生じたときには、切り換えレバー６３の舌片部６４に添えていた右手Ｈの指先を単に前方にずらすだけで、この指先がスプール３４のフランジ３７ｂに届く。
【００８７】
同様に、第１の指置部２２ａの適宜の操作（押圧／押圧解除）により、釣糸３５を巻き取る方向にスプール３４を回転させている最中に、例えば仕掛けに掛かったワカサギの口切れを防止するためスプール３４の回転を遅くすることができる。あるいは、切り換えレバー６３を右手Ｈの指先で第２の切り換え位置Ｐ２に回動させて、釣糸３５を巻き取る方向にスプール３４を回転させている最中に、例えば仕掛けに掛かったワカサギの口切れを防止するためスプール３４の回転を遅くする必要が生じたときには、切り換えレバー６３の舌片部６４に添えていた右手Ｈの指先を単に前方にずらすだけで、この指先がスプール３４のフランジ３７ｂに届く。
【００８８】
このため、サミング操作を第１および第２の指置部２２ａ，２２ｂの操作により行うことができる。一方、切り換えレバー６３を用いてサミング操作を行う場合であっても、指先の移動範囲が少なくて済み、釣糸３５の繰り出し時、および巻き取り時のいずれにおいても、手の指先を素早く切り換えレバー６３からフランジ３７ｂに移動させて、的確なタイミングでサミング操作に移行することができる。すなわち、手の指先でスプール３４の回転を規制することで、仕掛けの沈下速度や引き上げ速度を自由に調節することができる。
【００８９】
したがって、第１および第２の指置部２２ａ，２２ｂの操作や、切り換えレバー６３の回動操作およびサミング操作を連続した一つの動作で素早く行うことができ、魚釣用リール４の操作性が格段に向上する。
【００９０】
さらに、上記構成の魚釣用リール４によると、リール本体５の筐体６の上面６ａの第１の領域１７は、筐体６の後端から切り換えレバー６３に向けて滑らかな円弧を描いて上向きに傾斜している。そのため、釣人が右手Ｈ又は左手Ｈを魚釣用リール４の後方から差し出して、指を前方に向けた状態で手の平を上面６ａの第１の領域１７に宛がったときに、手首が不自然な姿勢に持ち上がったり、折れ曲がることはない。
【００９１】
すなわち、手の平が第１の領域１７の傾斜に合うように前方（指の方向）に上向きに傾斜した状態となって、手の平を筐体６の上面６ａで自然に受け止めることができる。これにより、指の付け根が前方に上向きとなって、上面６ａに対し指を動かす余裕（空間）を確保することができる。よって、人差し指Ｈ２および中指Ｈ３を上下に動かし易くなり、第１の指置部２２ａおよび第２の指置部２２ｂの操作性や切り換えレバー６３の操作性が良好となる。  
それとともに、第１および第２の指置部２２ａ，２２ｂ又は切り換えレバー６３に添えていた指先をスプール３４のフランジ３４ｂに移動させる際の操作性も良好となり、使い易い魚釣用リール４を提供できる。  
さらに、魚釣用リール４を手の平をその前方の指の方向が上向きとなるように宛がって把持できるため、この魚釣用リール４をしっかりと支えることができる。そのため、魚釣用リール４を水の中に落としてしまうといった不具合を回避できる。
【００９２】
加えて、トップカバー８の第１および第２の指置部２２ａ，２２ｂは、前方に進むに従い下向きに傾斜した傾斜面を有している。このため、第１および第２の指置部２２ａ，２２ｂに人差し指Ｈ２および中指Ｈ３を宛がうことで、リール本体５の前部を台３の上面３ａにしっかりと押さえ付けることができる。この結果、リール本体５を安定した姿勢で把持することができ、リール本体５を台３の上で左右に動かしたり、上下に振る操作をコンピュータ用のマウスと同じような感覚で容易に行なうことができる。
【００９３】
したがって、魚釣用リール４の操作性が良好となり、アタリに対して素早い対応が可能となる。
【００９４】
さらに、筐体６の左右の側面２４ａ，２４ｂに形成された凹部２５ａ，２５ｂに親指Ｈ１、薬指Ｈ４および小指Ｈ５ｄを差し入れることで、筐体６を右手Ｈ又は左手Ｈで確実に掴むことができる。  
特に筐体６を台３の上から持ち上げようとした場合に、凹部２５ａ，２５ｂに親指Ｈ１、薬指Ｈ４および小指Ｈ５ｄが引っ掛かるので、魚釣用リール４が右手Ｈ又は左手Ｈから脱落し難くなり、素早い手の動きに対しても無理なく対応することができる。
【００９５】
例えばスイッチ操作子としての第１および第２の指置部（第１および第２の操作体）２２ａ，２２ｂは、押圧操作体の他に、レバーとしてもよい。それとともに、スイッチ操作子としての切り換えレバー６３６３は、回動操作の他、スライド操作するものであってもよい。
【００９６】
また、この実施の形態では、第１の指置部２２ａおよび一時巻きスイッチ５９ａを筐体６の左側に、第２の指置部２２ｂおよび押圧体５９ｂを右側に配置する例について説明したが、一時巻きスイッチ５９ａを右側（第２の指置部２２ｂの下側）に、押圧体５９ｂを左側（第１の指置部２２ａの下側）に配置することも好適である。さらに、第１の指置部（第１の操作部）２２ａから手を離してもスプール３４が連続回転するようにしても良いし、第２の指置部（第２の操作部）２２ｂから手を離してもスプール３４が連続して自由回転する操作部としても良いし、両操作部をリール本体５の前端に対し左右に平行位置に配置しないで前後にずらして配置しても良い。また、スプール３４は必ずしもリール本体５の筐体６の上面６ａの前部の中央である必要はなく、右側や左側等に偏った状態で配設されていたり、筐体６の上面６ａでなく内部に配設されていることも好適である。すなわち、第１および第２の指置部２２ａ，２２ｂの面積や形状は適宜に設定することができる。
【００９７】
また、この実施の形態では、ロアケース７の底壁９にスプール軸３３が支持され、スプール軸３３が底壁９から垂直に起立している場合について説明したが、スプール軸３３がピボット軸４８と平行に設けられていても良い。すなわち、サミング操作等する場合に、フランジ３７ａ，３７ｂ又は釣糸巻回胴部３６に巻回された釣糸３５自体を保持するようにしても良い。
【００９８】
さらに、上記第１の実施の形態では、リール本体の底壁に脚を設けて、これら脚を台の上面に接触させているが、脚を省略してリール本体の底壁を台の上面に直に接触させ、この底壁を接地部として利用するようにしてもよい。
【００９９】
本発明は上記第１の実施の形態に特定されるものではなく、発明の主旨を逸脱しない範囲内で種々変形して実施可能である。
【図面の簡単な説明】
【０１００】
【図１】本発明の第１の実施の形態において、魚釣用リールを台の上に置いて使用している状態を示す側面図。
【図２】本発明の第１の実施の形態に係る魚釣用リールの図３に示すＩＩ−ＩＩ線に沿う縦断面図。
【図３】本発明の第１の実施の形態に係る魚釣用リールの平面図。
【図４】本発明の第１の実施の形態に係る魚釣用リールの第１の指置部を押圧した状態を示す、図５に示すＩＶ−ＩＶ線に沿う横断面図。
【図５】本発明の第１の実施の形態に係る魚釣用リールの第１の指置部を押圧した状態を示す、図４に示すＶ−Ｖ線に沿う縦断面図。
【図６】本発明の第１の実施の形態に係る魚釣用リールの第２の指置部を押圧した状態を示す、図７に示すＶＩ−ＶＩ線に沿う横断面図。
【図７】本発明の第１の実施の形態に係る魚釣用リールの第２の指置部を押圧した状態を示す、図６に示すＶＩＩ−ＶＩＩ線に沿う縦断面図。
【図８】本発明の第１の実施の形態において、切り換えレバーが第１の切り換え位置にある状態を示す横断面図。
【図９】本発明の第１の実施の形態において、切り換えレバーが第２の切り換え位置に回動した状態を示す横断面図。
【図１０】本発明の第１の実施の形態において、切り換えレバーが第３の切り換え位置に回動した状態を示す横断面図。
【図１１】本発明の第１の実施の形態において、第２の指置部の押圧又は切り換えレバーが第３の切り換え位置に回動されることによりトルク伝達部材が押し下げられて、トルク伝達部材がスプールから切り離された状態を示す魚釣用リールの縦断面図。
【図１２】本発明の第１の実施の形態において、リール本体の前端に位置する釣糸ガイドに釣糸上のストッパが引っ掛かった状態を示す魚釣用リールの縦断面図。
【図１３】本発明の第１の実施の形態において、モータの駆動系統を示す回路図。
【符号の説明】
【０１０１】
４…魚釣用リール、５…リール本体、６ａ…上面、１６ａ，１６ｂ…接地部（脚）、２２ａ…第１の指置部（第１の操作体）、２２ｂ…第２の指置部（第２の操作体）、３４…スプール、３５…釣糸、３７ａ，３７ｂ…フランジ、４４…モータ、４６…出力軸、４７…トルク伝達部材、４８…ピボット軸、４９…軸受部、５９ａ…一時巻きスイッチ（第１のスイッチ）、５９ｂ…押圧体（第２のスイッチ）、６３…切り換えレバー。
【図１】
2010124789.tif 000003
【図２】
2010124789.tif 000004
【図３】
2010124789.tif 000005
【図４】
2010124789.tif 000006
【図５】
2010124789.tif 000007
【図６】
2010124789.tif 000008
【図７】
2010124789.tif 000009
【図８】
2010124789.tif 000010
【図９】
2010124789.tif 000011
【図１０】
2010124789.tif 000012
【図１１】
2010124789.tif 000013
【図１２】
2010124789.tif 000014
【図１３】
2010124789.tif 000015